(57)【要約】      （修正有）【課題】Ｕ字形側溝の開口部長手方向に、矩形平板状の側溝蓋を隣接して連続的に載置することにより、運転者、歩行者に対して注目されるデザインを実現し、より一層の明示による警告効果をもたらすコンクリート側溝蓋を提供する。【解決手段】少なくとも矩形表面近傍部は黄色に着色されたコンクリート部および黒色に着色されたコンクリート部からなり、該矩形表面に表れる着色されたコンクリート部の境界線が側溝蓋１の側辺に対して傾斜していることを特徴とする側溝蓋。【選択図】図４
0003148655.tif 000002
【実用新案登録請求の範囲】
【請求項１】
コンクリート製矩形平板形状の側溝蓋であって、少なくとも矩形表面近傍部は黄色に着色されたコンクリート部および黒色に着色されたコンクリート部からなり、該矩形表面に表れる着色されたコンクリート部の境界線が側溝蓋の側辺に対して傾斜していることを特徴とする側溝蓋。
【考案の詳細な説明】
【技術分野】
【０００１】  本考案は、着色コンクリート製の側溝蓋に関するものである。
【背景技術】
【０００２】  従来から、雨水、用水、排水などの導水用としてコンクリート製のＵ字形側溝が、主として道路側端に敷設され、その上面開口部には矩形平板状のコンクリート側溝蓋が使用される。この側溝蓋は、Ｕ字形側溝の上面開口部の長手方向に複数個を互いに隣接させて載置される。近年、交通安全の観点から、夜間、特に夜間降雨時において道路を走行する車両の運転者、歩行者に対して、（１）道路側端付近、（２）出入り口付近、（３）曲がり角付近などを明示して警告するために、道路面あるいは側溝蓋面を部分的に塗料などにより着色することが行われているところである。【０００３】  一般に、コンクリートブロックなどの表面を着色塗装することは、塗料が風雨、紫外線などにより劣化し部分的に剥がれるため、再塗装が必要になるなど長期の保守管理は容易ではない。そこで昭６１−３６４２３号公報（特許文献１）では、コンクリート原料に着色剤を添加してなる有色コンクリートブロックが提案されている。【０００４】  この有色コンクリートブロックは、自然環境への調和、駐車禁止場所の明示して警告することなどを目的として、ブロックの表面のみ、又は全体を草色、土色、黄色などに適宜着色するもので、塗料の劣化・剥離などの問題は解決される。さらに適宜着色された単色のコンクリートブロックを歩道境界に使用する場合、異なる着色コンクリートブロックを交互に載置（特許文献１、図２参照）することにより運転者、歩行者に境界位置を明示し警告する効果があるとされる。
【特許文献１】  昭６１−３６４２３号公報
【考案の開示】
【考案が解決しようとする課題】
【０００５】  従来のように表面を適宜着色塗装することでは塗料の部分劣化の問題点があり、この解決のために、前記のような単色に着色ブロックを単に長手方向に載置することでは、運転者、歩行者に境界位置を明示し警告する効果には限界があった。本考案では、従来のＵ字形側溝において、上面開口部の長手方向に矩形平板状の側溝蓋を隣接して連続的に載置することにより、運転者、歩行者に対して注目されるデザインを実現し、より一層の明示による警告効果をもたらすコンクリート側溝蓋の提供を課題とする。
【課題を解決するための手段】
【０００６】  本考案において、前記課題を解決する手段は下記の通りである。すなわち、コンクリート製矩形平板形状の側溝蓋であって、少なくとも矩形表面近傍部は黄色に着色されたコンクリート部および黒色に着色されたコンクリート部からなり、該矩形表面に表れる着色されたコンクリート部の境界線が側溝蓋の側辺に対して傾斜していることを特徴とする側溝蓋である。
【考案の効果】
【０００７】  本考案によれば、側溝蓋の矩形表面において、黄色および黒色に着色されたコンクリート部からなる境界線が側溝蓋の側辺に対して傾斜して配設されている。したがって、本考案の側溝蓋をＵ字形の側溝開口部の長手方向に、同じ色側が隣接するように連続的に載置することにより、側溝表面に傾斜した境界線をもつ黄色・黒色部が帯状に形成され、運転者、歩行者に対して注目されるデザインを実現でき、より一層の明示による警告効果をもたらすことが出来る。さらに本考案では、その繰り返し模様が着色したコンクリートで形成されているから、従来のような塗装による部分劣化、剥離などの問題点を解消できる。
【考案を実施するための最良の形態】
【０００８】  本考案の実施例を図面に基づいて説明する。
【実施例】  （実施例１）図１は、本考案の着色コンクリート側溝蓋１の斜視図である。図１に示すように側溝蓋１は、平行する両側辺（４ａ、４ｂ）と両側面（（５ａ、５ｂ）、および平行する隣接側の側辺（４ｃ、４ｄ）と隣接側の側面（５ｃ、５ｄ）とをもつ矩形平板形状である。  図１に示すように本考案の側溝蓋は、黄色コンクリート部２ａおよび黒色コンクリート部２ｂで構成されている。黄色コンクリート部２ａおよび黒色コンクリート部２ｂの矩形表面２に表れる境界線３が側溝蓋１の側辺（４ａ、４ｂ）対して傾斜している。この傾斜角度は任意に設定でき、境界線３の両端は平行に相対する両側辺（４ａ、４ｂ）と交わる。本実施例では、境界線３と側辺４ａの交点Ａに於ける傾斜角度を４５度としている。したがって、他方のＢ点における傾斜角度も４５度となる。【０００９】  本考案において、矩形表面２とは側溝蓋１をＵ字形側溝に載置したとき上側となる面（上面）である。図１では、側溝蓋を載置したとき隣接側の側面（５ｃ、５ｄ）に手掛け部６が設けられているが、これは必要に応じて片方又は両側に設けるか、あるいは全く設けなくても良い。【００１０】  本考案を構成する黄色および黒色の着色コンクリートは、混練前の通常のポルトランドセメントに骨材および着色顔料と水を所定量混合して型枠に打設して固化形成する。まず、箱型の型枠内の底部（この底部面側が、コンクリート固化後に矩形表面となる）に接して、両側辺（４ａ、４ｂ）に対して境界線を傾斜させるための堰板を予め設置する。堰板で２分された片方の型枠内空間に着色顔料を添加してなる黄色の着色コンクリートを打設して固化させた後に堰板を除去する。次に型枠内の他方の余剰空間に黒色の着色コンクリートを打設して固化させる。堰板を除去して打設するから、両着色コンクリートは明瞭な境界線を形成する。着色コンクリートにガラスの微細粉末を添加して表面に散在させ、光を乱反射させ着色面をより目立つようにさせても良い。【００１１】  （実施例２）図２は、境界線３を、矩形表面２の対角線としたものである。境界線３と側辺４ａの交点Ａ、境界線３と側辺４ｂの交点Ｂは、矩形表面の対角する２つの頂点にそれぞれ位置している。
（実施例３）図３は、黄色コンクリート部２ａと黒色コンクリート部２ｂを側溝蓋１の矩形表面近傍部２ｃのみとした場合である。矩形表面近傍部２ｃ以外の下部本体７は、着色顔料を添加しない通常のポルトランドセメントによるコンクリートで構成している。【００１２】  図４は実施例１で述べた着色コンクリート側溝蓋１を、実際にＵ字形側溝１０に適用する説明図である。Ｕ字形側溝１０の蓋受け側壁１２の内側にある蓋受け部面１１に橋渡しするように載置する。本考案の側溝蓋１を長手方向に同じ色の着色部が隣接するように連続して載置することにより、黄色と黒色部が斜めの境界を呈しながら連続した繰り返し模様を形成できる。【００１３】  図５は、本考案の着色コンクリート側溝蓋１を、Ｕ字形側溝に載置した状態の平面図である。図５（ａ）は実施例１、図５（ｂ）は実施例２の側溝蓋を連続して載置したもので、側溝の長手方向に、黄色と黒色部が斜めの境界をもちながら連続した繰り返し模様が形成される。本考案は、側溝蓋の形状が従来から多用されている矩形平板であるから既存のＵ字形側溝に容易に適用でき、上記に説明したように連続して載置することにより道路、駐車場などにおいて、歩行者、運転者に注意を引く斜めの境界線を持つ黄色と黒色の連続パターンを形成することができる。
【図面の簡単な説明】
【００１４】
【図１】本考案の実施例１を示す斜視図である。
【図２】本考案の実施例２を示す斜視図である。
【図３】本考案の実施例３を示す斜視図である。
【図４】本考案の側溝蓋をＵ字形側溝に適用する説明図である。
【図５】本考案の側溝蓋をＵ字形側溝に載置した状態の平面図である。
【符号の説明】
【００１５】  １  ・・側溝蓋
２  ・・矩形表面
２ａ・・黄色コンクリート部
２ｂ・・黒色コンクリート部
２ｃ・・矩形表面近傍部
３  ・・境界線
４ａ、４ｂ・・側辺        ４ｃ、４ｄ・・隣接側の側辺
５ａ、５ｂ・・側面        ５ｃ、５ｄ・・隣接側の側面
６  ・・手掛け部
７  ・・下部本体
１０・・Ｕ字形側溝
１１・・蓋受け部面
１２・・蓋受け側壁
【図１】
0003148655.tif 000003
【図２】
0003148655.tif 000004
【図３】
0003148655.tif 000005
【図４】
0003148655.tif 000006
【図５】
0003148655.tif 000007